(57)【要約】      （修正有）【課題】ワイヤレスデバイスにアップリンクチャネルのカバレッジ拡張を提供する技術を提供する。【解決手段】ユーザ機器（ＵＥ）によるワイヤレス通信のための方法であって、目標プリアンブル受信パワーレベルおよび最大プリアンブル送信パワーレベルに基づいて、パワーの差の値を決定することと、決定されたパワーの差の値に基づいて、アップリンク伝送のためのバンドリングサイズを選択することと、選択されたバンドリングサイズに従ってアップリンク伝送を送信することと、を含む。【選択図】図６
2019118129.tif 000002
【特許請求の範囲】
【請求項１】
ユーザ機器（ＵＥ）によるワイヤレス通信のための方法であって、
目標プリアンブル受信パワーレベルおよび最大プリアンブル送信パワーレベルに基づいて、パワーの差の値を決定することと、
前記決定されたパワーの差の値に基づいて、アップリンク伝送のためのバンドリングサイズを選択することと、
前記選択されたバンドリングサイズに従って前記アップリンク伝送を送信することと、
を備える方法。
【請求項２】
前記パワーの差の値は、また、ダウンリンク経路損失の推定に基づく、請求項１に記載の方法。
【請求項３】
前記アップリンク伝送は、ＲＡＣＨプリアンブル伝送を備える、請求項１に記載の方法。
【請求項４】
前記ＲＡＣＨプリアンブル伝送は、ＲＡＣＨ反復シーケンスを備える、請求項３に記載の方法。
【請求項５】
アップリンク伝送のためのバンドリングサイズが、前記パワーの差の値がゼロよりも大きい場合にのみ、前記決定されたパワーの差の値に基づいて選択される、請求項３に記載の方法。
【請求項６】
ユーザ機器（ＵＥ）によるワイヤレス通信のための方法であって、
第１のアップリンク伝送を或るパワーレベルおよび或るバンドリングサイズで送信することと、
前記第１のアップリンク伝送が失敗した場合に、１つまたは複数の後続のアップリンク伝送のための前記バンドリングサイズを調節することと、
を備える方法。
【請求項７】
前記第１のアップリンク伝送は、ＲＡＣＨプリアンブル伝送を備える、請求項６に記載の方法。
【請求項８】
前記ＲＡＣＨプリアンブル伝送は、ＲＡＣＨ反復シーケンスを備える、請求項７に記載の方法。
【請求項９】
１つまたは複数の後続のアップリンク伝送のための前記バンドリングサイズを調節することが、
目標プリアンブル受信パワーレベルおよび最大プリアンブル送信パワーレベルに基づいて、パワーの差の値を決定することと、
前記決定されたパワーの差の値に基づいて、アップリンク伝送のためのバンドリングサイズを選択することと、
を備える、請求項６に記載の方法。
【請求項１０】
１つまたは複数の後続のアップリンク伝送のための前記バンドリングサイズを調節することが、
先行するアップリンク伝送のための送信パワーが所定のレベルに達した後で、１つまたは複数の後続のアップリンク伝送のための前記バンドリングサイズを調節すること、
を備える、請求項６に記載の方法。
【請求項１１】
前記所定のレベルは、最大アップリンク送信パワーレベルに相当する、請求項１０に記載の方法。
【請求項１２】
前記バンドリングサイズを増大した後に、後続のアップリンク伝送のための送信パワーを低減すること、
をさらに備える、請求項１０に記載の方法。
【請求項１３】
ユーザ機器（ＵＥ）によるワイヤレス通信のための方法であって、
バンドリングなしのアップリンク伝送のための第１の値およびバンドリングを用いるアップリンク伝送のための第２の値を有する送信パワーレベルパラメータに少なくとも部分的に基づいて、アップリンク伝送のための送信パワーレベルを決定することと、
前記決定された送信パワーレベルに従って、前記アップリンク伝送を送信することと、
を備える方法。
【請求項１４】
前記アップリンク伝送は、ＲＡＣＨプリアンブル伝送を備える、請求項１３に記載の方法。
【請求項１５】
前記ＲＡＣＨプリアンブル伝送は、ＲＡＣＨ反復シーケンスを備える、請求項１４に記載の方法。
【請求項１６】
前記アップリンク伝送は、物理アップリンク共有チャネル（ＰＵＳＣＨ）伝送を備える、請求項１３に記載の方法。
【請求項１７】
ブロードキャストシステム情報ブロック（ＳＩＢ）において前記第１および第２の値のうちの少なくとも１つを受信することをさらに備える、請求項１３に記載の方法。
【請求項１８】
ユーザ機器（ＵＥ）によるワイヤレス通信のための方法であって、
ランダムアクセスチャネル（ＲＡＣＨ）プロシージャに使用すべきバンドリングサイズを決定することと、ここにおいて、異なるバンドリングサイズが、競合ベースおよび非競合ベースのＲＡＣＨプロシージャについて使用される、
前記決定されたバンドリングサイズに従って、前記ＲＡＣＨプロシージャを実行することと、
を備える方法。
【請求項１９】
競合ベースのＲＡＣＨプロシージャのためのバンドリングサイズが、ダウンリンク経路損失の推定に少なくとも部分的に基づいて決定される、請求項１８に記載の方法。
【請求項２０】
非競合ベースのＲＡＣＨプロシージャのためのバンドリングサイズが、基地局によって示される、請求項１８に記載の方法。
【請求項２１】
前記ＲＡＣＨプロシージャは、基地局によって指示され、
前記基地局は、物理ダウンリンク制御チャネル（ＰＤＣＣＨ）において前記ＲＡＣＨプロシージャのために使用すべきバンドリングサイズを示す、
請求項１８に記載の方法。
【発明の詳細な説明】
【技術分野】
【０００１】
関連出願の相互参照
[0001]本出願は、本出願の譲受人に譲渡された、２０１３年９月１３日に出願された「カバレッジ拡張を伴うアップリンクチャネル設計（UPLINK CHANNEL DESIGN WITH COVERAGE ENHANCEMENTS）」という名称の米国特許仮出願第６１／８７７，９２０号の利益を主張し、この米国特許仮出願の内容は、参照によって本願に援用される。
【０００２】
[0002]本開示の特定の態様は、一般に、ワイヤレス通信に関し、より詳細には、アップリンクチャネルのカバレッジ拡張のための技術に関する。
【背景技術】
【０００３】
[0003]ワイヤレス通信システムが、音声やデータなどのさまざまなタイプの通信コンテンツを提供するために広く展開されている。これらのシステムは、利用可能なシステムリソース（例えば、帯域幅および送信パワー）を共有することによってマルチプルなユーザとの通信をサポートすることができる多元接続システムであり得る。このような多元接続システムの例は、符号分割多元接続（ＣＤＭＡ）システム、時分割多元接続（ＴＤＭＡ）システム、周波数分割多元接続（ＦＤＭＡ）システム、ＬＴＥ（登録商標）アドバンストシステムを含む第３世代パートナーシッププロジェクト（３ＧＰＰ（登録商標））ロング・ターム・エボリューション（ＬＴＥ）、および直交周波数分割多元接続（ＯＦＤＭＡ）システムを含む。
【０００４】
[0004]一般に、ワイヤレス多元接続通信システムは、マルチプルなワイヤレス端末のための通信を同時にサポートすることができる。各々の端末が、順方向リンクおよび逆方向リンクにおける伝送によって１つまたは複数の基地局と通信する。順方向リンク（または、ダウンリンク）は、基地局から端末への通信リンクを指し、逆方向リンク（または、アップリンク）は、端末から基地局への通信リンクを指す。この通信リンクは、１入力１出力、多入力１出力、または多入力多出力（ＭＩＭＯ）システムによって確立され得る。
【０００５】
[0005]ワイヤレスデバイスは、ユーザ機器（以下、「ＵＥ」）およびリモートデバイスを備える。ＵＥは、人間による直接制御のもとで動作するデバイスである。ＵＥのいくつかの例は、携帯電話機、スマートフォン、携帯情報端末（ＰＤＡ）、ワイヤレスモデム、ハンドヘルドデバイス、ラップトップコンピュータ、ネットブック、タブレット、ウルトラブック、スマートブック、などを含む。リモートデバイスは、人間によって直接制御されることなく動作するデバイスである。リモートデバイスのいくつかの例は、センサ、メータ、モニタ、ロケーションタグ、などを含む。リモートデバイスは、基地局、ＵＥ、別のリモートデバイス、または何らかの他のエンティティと通信し得る。マシン型通信（ＭＴＣ）は、通信の少なくとも１つのエンドに少なくとも１つのリモートデバイスが関与する通信を指す。
【発明の概要】
【０００６】
[0006]本開示の特定の態様は、例えばＵＥによって実行され得るワイヤレス通信のための方法を提供する。この方法は、一般に、目標プリアンブル受信パワーレベルおよび最大プリアンブル送信パワーレベルに基づいて、パワーの差の値（power difference value）を決定することと、決定された差に基づいて、アップリンク伝送のためのバンドリングサイズを選択することと、選択されたバンドリングサイズに従ってアップリンク伝送を送信することと、を含む。
【０００７】
[0007]本開示の特定の態様は、ＵＥによるワイヤレス通信のための装置を提供する。この装置は、一般に、目標プリアンブル受信パワーレベルおよび最大プリアンブル送信パワーレベルに基づいて、パワーの差の値を決定することと、決定された差に基づいて、アップリンク伝送のためのバンドリングサイズを選択することと、選択されたバンドリングサイズに従ってアップリンク伝送を送信することと、を行うように構成された少なくとも１つのプロセッサを含む。
【０００８】
[0008]本開示の特定の態様は、ＵＥによるワイヤレス通信のための装置を提供する。この装置は、一般に、目標プリアンブル受信パワーレベルおよび最大プリアンブル送信パワーレベルに基づいて、パワーの差の値を決定するための手段と、決定された差に基づいて、アップリンク伝送のためのバンドリングサイズを選択するための手段と、選択されたバンドリングサイズに従ってアップリンク伝送を送信するための手段と、を含む。
【０００９】
[0009]本開示の特定の態様は、ＵＥによるワイヤレス通信のためのコンピュータプログラム製品を提供する。このコンピュータプログラム製品は、コンピュータ読み取り可能な媒体を備え、一般に、目標プリアンブル受信パワーレベルおよび最大プリアンブル送信パワーレベルに基づいて、パワーの差の値を決定するためのコードと、決定された差に基づいて、アップリンク伝送のためのバンドリングサイズを選択するためのコードと、選択されたバンドリングサイズに従ってアップリンク伝送を送信するためのコードと、を含む。
【００１０】
[0010]本開示の特定の態様は、例えばＵＥによって実行され得るワイヤレス通信のための方法を提供する。この方法は、一般に、第１のアップリンク伝送を或るパワーレベルおよび或るバンドリングサイズで送信することと、第１のアップリンク伝送が失敗した場合に、１つまたは複数の後続のアップリンク伝送のためのバンドリングサイズを調節することと、を含む。
【００１１】
[0011]本開示の特定の態様は、ＵＥによるワイヤレス通信のための装置を提供する。この装置は、一般に、第１のアップリンク伝送を或るパワーレベルおよび或るバンドリングサイズで送信することと、第１のアップリンク伝送が失敗した場合に、１つまたは複数の後続のアップリンク伝送のためのバンドリングサイズを調節することと、を行うように構成された少なくとも１つのプロセッサを含む。
【００１２】
[0012]本開示の特定の態様は、ＵＥによるワイヤレス通信のための装置を提供する。この装置は、一般に、第１のアップリンク伝送を或るパワーレベルおよび或るバンドリングサイズで送信するための手段と、第１のアップリンク伝送が失敗した場合に、１つまたは複数の後続のアップリンク伝送のためのバンドリングサイズを調節するための手段と、を含む。
【００１３】
[0013]本開示の特定の態様は、ＵＥによるワイヤレス通信のためのコンピュータプログラム製品を提供する。このコンピュータプログラム製品は、コンピュータ読み取り可能な媒体を備え、一般に、第１のアップリンク伝送を或るパワーレベルおよび或るバンドリングサイズで送信するためのコードと、第１のアップリンク伝送が失敗した場合に、１つまたは複数の後続のアップリンク伝送のためのバンドリングサイズを調節するためのコードと、を含む。
【００１４】
[0014]本開示の特定の態様は、例えばＵＥによって実行され得るワイヤレス通信のための方法を提供する。この方法は、一般に、バンドリングなしのアップリンク伝送のための第１の値およびバンドリングを用いるアップリンク伝送のための第２の値を有する送信パワーレベルパラメータに少なくとも部分的に基づいて、アップリンク伝送のための送信パワーレベルを決定することと、決定された送信パワーレベルに従って、アップリンク伝送を送信することと、を含む。
【００１５】
[0015]本開示の特定の態様は、ＵＥによるワイヤレス通信のための装置を提供する。この装置は、一般に、バンドリングなしのアップリンク伝送のための第１の値およびバンドリングを用いるアップリンク伝送のための第２の値を有する送信パワーレベルパラメータに少なくとも部分的に基づいて、アップリンク伝送のための送信パワーレベルを決定することと、決定された送信パワーレベルに従って、アップリンク伝送を送信することと、を行うように構成された少なくとも１つのプロセッサを含む。
【００１６】
[0016]本開示の特定の態様は、ＵＥによるワイヤレス通信のための装置を提供する。この装置は、一般に、バンドリングなしのアップリンク伝送のための第１の値およびバンドリングを伴うアップリンク伝送のための第２の値を有する送信パワーレベルパラメータに少なくとも部分的に基づいて、アップリンク伝送のための送信パワーレベルを決定するための手段と、決定された送信パワーレベルに従って、アップリンク伝送を送信するための手段と、を含む。
【００１７】
[0017]本開示の特定の態様は、ＵＥによるワイヤレス通信のためのコンピュータプログラム製品を提供する。このコンピュータプログラム製品は、コンピュータ読み取り可能な媒体を備え、一般に、バンドリングなしのアップリンク伝送のための第１の値およびバンドリングを用いるアップリンク伝送のための第２の値を有する送信パワーレベルパラメータに少なくとも部分的に基づいて、アップリンク伝送のための送信パワーレベルを決定するためのコードと、決定された送信パワーレベルに従って、アップリンク伝送を送信するためのコードと、を含む。
【００１８】
[0018]本開示の特定の態様は、例えばＵＥによって実行され得るワイヤレス通信のための方法を提供する。この方法は、一般に、ランダムアクセスチャネル（ＲＡＣＨ）プロシージャに使用すべきバンドリングサイズを決定することであって、異なるバンドリングサイズが、競合ベースおよび非競合ベースのＲＡＣＨプロシージャについて使用される、決定することと、決定されたバンドリングサイズに従って、ＲＡＣＨプロシージャを実行することと、を含む。
【００１９】
[0019]本開示の特定の態様は、ＵＥによるワイヤレス通信のための装置を提供する。この装置は、一般に、ランダムアクセスチャネル（ＲＡＣＨ）プロシージャに使用すべきバンドリングサイズを決定することであって、異なるバンドリングサイズが、競合ベースおよび非競合ベースのＲＡＣＨプロシージャについて使用される、決定することと、決定されたバンドリングサイズに従って、ＲＡＣＨプロシージャを実行することと、を行うように構成された少なくとも１つのプロセッサを含む。
【００２０】
[0020]本開示の特定の態様は、ＵＥによるワイヤレス通信のための装置を提供する。この装置は、一般に、ランダムアクセスチャネル（ＲＡＣＨ）プロシージャに使用すべきバンドリングサイズを決定する手段であって、異なるバンドリングサイズが、競合ベースおよび非競合ベースのＲＡＣＨプロシージャについて使用される、決定する手段と、決定されたバンドリングサイズに従って、ＲＡＣＨプロシージャを実行するための手段と、を含む。
【００２１】
[0021]本開示の特定の態様は、ＵＥによるワイヤレス通信のためのコンピュータプログラム製品を提供する。このコンピュータプログラム製品は、コンピュータ読み取り可能な媒体を備え、一般に、ランダムアクセスチャネル（ＲＡＣＨ）プロシージャに使用すべきバンドリングサイズを決定するためのコードであって、異なるバンドリングサイズが、競合ベースおよび非競合ベースのＲＡＣＨプロシージャについて使用される、コードと、決定されたバンドリングサイズに従って、ＲＡＣＨプロシージャを実行するためのコードと、を含む。
【００２２】
[0022]上述の方法のための動作を実行することができる装置、システム、コンピュータプログラム製品、および処理システムを含む、多数の他の態様も提供される。
【図面の簡単な説明】
【００２３】
【図１】[0023]図１は、本開示の特定の態様による例示的なワイヤレス通信ネットワークを概念的に示すブロック図である。
【図２】[0024]図２は、本開示の特定の態様による、ワイヤレス通信ネットワークにおいてＵＥと通信する発展型ノードＢ（以下、「ｅＮＢ」）の例を概念的に示すブロック図である。
【図３】[0025]図３は、本開示の特定の態様による、ワイヤレス通信ネットワークにおいて使用される特定の無線アクセス技術（以下、「ＲＡＴ」）のための例示的なフレーム構造を概念的に示すブロック図である。
【図４】[0026]図４は、本開示の特定の態様によるノーマルサイクリックプレフィックスを有するダウンリンクのための例示的なサブフレームのフォーマットを示す。
【図５】[0027]図５は、本開示の特定の態様による、例えばＵＥによって実行され得るワイヤレス通信のための例示的な動作を示す。
【図６】[0028]図６は、本開示の特定の態様による、ｅＮＢとＵＥとの間で交換され得るメッセージを示す例示的なメッセージフロー図を示す。
【図７】[0029]図７は、本開示の特定の態様による、例えばＵＥによって実行され得るワイヤレス通信のための例示的な動作を示す。
【図８】[0030]図８は、本開示の特定の態様による、ｅＮＢとＵＥとの間で交換され得るメッセージを示す例示的なメッセージフロー図を示す。
【図９】[0031]図９は、本開示の特定の態様による、例えばＵＥによって実行され得るワイヤレス通信のための例示的な動作を示す。
【図１０】[0032]図１０は、本開示の特定の態様による、ｅＮＢとＵＥとの間で交換され得るメッセージを示す例示的なメッセージフロー図を示す。
【図１１】[0033]図１１は、本開示の特定の態様による、例えばＵＥによって実行され得るワイヤレス通信のための例示的な動作を示す。
【図１２】[0034]図１２は、本開示の特定の態様による、ｅＮＢとＵＥとの間で交換され得るメッセージを示す例示的なメッセージフロー図を示す。
【発明を実施するための形態】
【００２４】
[0035]いくつかのシステムにおいて、ＵＥは、例えば、ＵＥが有する受信および／または送信チェーンの数、ＵＥの位置、ＵＥが動作しているモード、ならびにＵＥが動作している周波数に基づいて、異なるカバレッジ特性を有し得る。いくつかのＵＥは、他のＵＥと比べて限られたカバレッジしか有さないことがある。例えば、低コストＵＥは、単一の受信および／または送信チェーンを有することがあり、これは、複数の受信および／または送信チェーンを有するＵＥと比べてＤＬおよび／またはＵＬカバレッジを制限する。本開示のいくつかの態様は、ワイヤレス通信のためのＴＴＩバンドリングの使用を提供し、これは、低コスト低データレートＵＥなどのいくつかのＵＥについてアップリンクチャネルのカバレッジ拡張を可能にし得る。
【００２５】
[0036]いくつかのシステムにおいて、特定のタイプのＵＥが、他のタイプのＵＥと比べて限られたカバレッジしか有さないことがある。例えば、いくつかのタイプの低コストＵＥは、単一の受信または送信チェーンしか有さず、したがってＤＬおよび／またはＵＬカバレッジが制限され得る一方で、他のタイプのＵＥは、複数の受信および／または送信チェーンの恩恵を受け得る。例えば、いくつかのＵＥは、ユーザが遠く離れた場所、あるいは地下などの場所にいる場合に、ボイスオーバＩＰ（以下、「ＶｏＩＰ」）モードにて動作し得る。別の例として、いくつかのＵＥは、高い周波数帯で動作し得る。本明細書に提示の技術は、このようなＵＥへのカバレッジの拡張に役立ち得る。
【００２６】
[0037]添付の図面に関連して以下で述べられる詳細な説明は、種々の構成の説明として意図されており、本明細書に記載の態様が実現され得る構成だけを表そうとしたものではない。詳細な説明は、本明細書において述べられる種々の態様の完全な理解をもたらす目的で、具体的な詳細を含む。しかしながら、これらの考え方が、これらの具体的な詳細を備えることなく実施され得ることは、当業者にとって明らかであろう。いくつかの場合においては、このような態様を不明瞭にしてしまわないよう、周知の構造およびコンポーネントは、ブロック図の形態で示されている。
【００２７】
[0038]本明細書に記載される技術は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワーク、などの種々のワイヤレス通信ネットワークにおいて使用され得る。用語「ネットワーク」および「システム」は、しばしば入れ替え可能に使用される。ＣＤＭＡネットワークは、ユニバーサル地上波無線アクセス（ＵＴＲＡ）、ＣＤＭＡ２０００、などの無線技術を実装し得る。ＵＴＲＡは、ワイドバンドＣＤＭＡ（Ｗ−ＣＤＭＡ（登録商標））、時分割同期ＣＤＭＡ（ＴＤ−ＳＣＤＭＡ）、およびＣＤＭＡの他の変形を含む。ＣＤＭＡ２０００は、ＩＳ−２０００、ＩＳ−９５、およびＩＳ−８５６規格を含む。ＴＤＭＡネットワークは、グローバル・システム・フォア・モバイル・コミュニケーション（ＧＳＭ（登録商標））などの無線技術を実装し得る。ＯＦＤＭＡネットワークは、発展型ＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュＯＦＤＭ（登録商標）、などの無線技術を実装し得る。ＵＴＲＡおよびＥ−ＵＴＲＡは、ユニバーサル移動体通信システム（ＵＭＴＳ）の一部である。周波数分割複信（ＦＤＤ）および時分割複信（ＴＤＤ）の両方における３ＧＰＰロング・ターム・エボリューション（ＬＴＥ）およびＬＴＥアドバンスト（ＬＴＥ−Ａ）は、Ｅ−ＵＴＲＡを用いるＵＭＴＳの新たなリリースであり、これは、ダウンリンクにおけるＯＦＤＭＡおよびアップリンクにおけるＳＣ−ＦＤＭＡを採用する。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と呼ばれる団体からの文書に説明されている。ＣＤＭＡ２０００およびＵＭＢは、「第３世代パートナーシッププロジェクト２」（３ＧＰＰ２）と呼ばれる団体からの文書に説明されている。本明細書に記載の技術は、上述のワイヤレスネットワークおよび無線技術ならびに他のワイヤレスネットワークおよび無線技術に使用され得る。明瞭さのために、技術の特定の態様が、ＬＴＥ／ＬＴＥ−Ａに関して後述され、ＬＴＥ／ＬＴＥ−Ａの専門用語が、以下の説明の大部分において使用される。
【００２８】
[0039]例示的なワイヤレス通信システム  
図１は、ワイヤレス通信ネットワーク１００を示し、これは、ＬＴＥネットワークまたは何らかの他のワイヤレスネットワークであり得る。ワイヤレスネットワーク１００は、いくつかのｅＮＢ１１０および他のネットワークエンティティを含み得る。ｅＮＢは、ＵＥと通信するエンティティであり、基地局、Ｎｏｄｅ  Ｂ、アクセスポイント（ＡＰ）、などと称されることもあり得る。各々のｅＮＢは、特定の地理的領域に通信カバレッジを提供し得る。３ＧＰＰにおいては、用語「セル」が、この用語の使用の文脈に応じて、ｅＮＢのカバレッジ領域および／またはこのカバレッジ領域にサーブするｅＮＢサブシステムを指すことがある。
【００２９】
[0040]ｅＮＢは、マクロセル、ピコセル、フェムトセル、および／または他のタイプのセルのための通信カバレッジを提供し得る。マクロセルは、比較的大きな地理的領域（例えば、半径数キロメートル）をカバーし得、サービス契約を有するＵＥによる無制限のアクセスを許可し得る。ピコセルは、比較的小さな地理的領域をカバーし得、サービス契約を有するＵＥによる無制限のアクセスを許可し得る。フェムトセルは、比較的小さな地理的領域（例えば、家庭）をカバーし得、フェムトセルとの関連を有するＵＥ（例えば、閉じた契約者グループ（ＣＳＧ）内のＵＥ）による制限されたアクセスを許可し得る。マクロセルのためのｅＮＢは、マクロｅＮＢと称され得る。ピコセルのためのｅＮＢは、ピコｅＮＢと称され得る。フェムトセルのためのｅＮＢは、フェムトｅＮＢまたはホームｅＮＢ（ＨｅＮＢ）と称され得る。図１に示した例では、ｅＮＢ１１０ａが、マクロセル１０２ａのためのマクロｅＮＢであり得、ｅＮＢ１１０ｂが、ピコセル１０２ｂのためのピコｅＮＢであり得、ｅＮＢ１１０ｃが、フェムトセル１０２ｃのためのフェムトｅＮＢであり得る。ｅＮＢは、１つまたは複数（例えば、３つ）のセルをサポートし得る。用語「ｅＮＢ」、「基地局」、および「セル」は、本明細書において入れ替え可能に使用され得る。
【００３０】
[0041]ワイヤレスネットワーク１００は、また、中継ステーションを含み得る。中継ステーションは、上流の局（例えば、ｅＮＢまたはＵＥ）からデータの伝送を受信し、下流の局（例えば、ＵＥまたはｅＮＢ）にデータの伝送を送信することができるエンティティである。中継ステーションは、他のＵＥのための伝送を中継できるＵＥでもあり得る。図１に示した例において、中継ステーション１００ｄは、マクロｅＮＢ１１０ａおよびＵＥ１２０ｄと通信して、ｅＮＢ１１０ａとＵＥ１２０ｄとの間の通信を促進し得る。また、中継ステーションは、中継ｅＮＢ、中継基地局、リレー、などと称されることもあり得る。
【００３１】
[0042]ワイヤレスネットワーク１００は、例えばマクロｅＮＢ、ピコｅＮＢ、フェムトｅＮＢ、中継ｅＮＢ、などの異なるタイプのｅＮＢを含む異種混在ネットワークであり得る。これらの異なるタイプのｅＮＢは、異なる送信パワーレベル、異なるカバレッジ領域、およびワイヤレスネットワーク１００における干渉への異なる影響を有し得る。例えば、マクロｅＮＢが、高い送信パワーレベル（例えば、５〜４０Ｗ）を有し得る一方で、ピコｅＮＢ、フェムトｅＮＢ、および中継ｅＮＢは、より低い送信パワーレベル（例えば、０．１〜２Ｗ）を有し得る。
【００３２】
[0043]ネットワークコントローラ１３０が、一連のｅＮＢと結び付き得、これらのｅＮＢに協調および制御をもたらし得る。ネットワークコントローラ１３０は、バックホールを介してｅＮＢと通信し得る。さらに、ｅＮＢは、例えばワイヤレスまたは有線のバックホールを介して直接的または間接的に互いに通信し得る。
【００３３】
[0044]ＵＥ１２０（例えば、１２０ａ、１２０ｂ、１２０ｃ）は、ワイヤレスネットワーク１００の至る所に散らばっていてよく、各々のＵＥは、固定式または可動式であり得る。ＵＥは、アクセス端末、端末、移動局（ＭＳ）、加入者ユニット、局（ＳＴＡ）、などとも称され得る。ＵＥは、携帯電話機、携帯情報端末（ＰＤＡ）、ワイヤレスモデム、ワイヤレス通信デバイス、携帯デバイス、ラップトップコンピュータ、コードレス電話機、ワイヤレスローカルループ（ＷＬＬ）ステーション、タブレット、スマートフォン、ネットブック、スマートブック、ウルトラブック、などであり得る。
【００３４】
[0045]図２は、基地局／ｅＮＢ１１０およびＵＥ１２０の設計のブロック図であり、これは、図１における基地局／ｅＮＢのうちの１つおよびＵＥのうちの１つであり得る。基地局１１０は、Ｔ個のアンテナ２３４ａ〜２３４ｔを備え得、ＵＥ１２０は、Ｒ個のアンテナ２５２ａ〜２５２ｒを備え得、ここで一般的にはＴ≧１およびＲ≧１である。
【００３５】
[0046]基地局１１０において、送信プロセッサ２２０が、１つまたは複数のＵＥのためのデータソース２１２からのデータを受け取り、ＵＥから受信されるチャネル品質インジケータ（ＣＱＩ）に基づいて各々のＵＥについて１つまたは複数の変調およびコーディングスキーム（ＭＣＳ）を選択し、ＵＥについて選択されたＭＣＳに基づいて各々のＵＥのためのデータを処理（例えば、符号化および変調）し、すべてのＵＥのためのデータシンボルを提供し得る。また、送信プロセッサ２２０はまた、（例えば、半固定リソース分割情報（ＳＲＰＩ）などのための）システム情報および制御情報（例えば、ＣＱＩ要求、グラント、上位層信号、など）を処理し、オーバーヘッドシンボルおよび制御シンボルを提供し得る。さらに、プロセッサ２２０は、基準信号（例えば、共通基準信号（ＣＲＳ））のための基準シンボルならびに同期信号（例えば、プライマリ同期信号（ＰＳＳ）およびセカンダリ同期信号（ＳＳＳ））も生成し得る。送信（ＴＸ）多入力多出力（ＭＩＭＯ）プロセッサ２３０は、必要であれば、データシンボル、制御シンボル、オーバーヘッドシンボル、および／または基準シンボルについて空間処理（例えば、プリコーディング）を実行し得、Ｔ個の変調器（ＭＯＤ）２３２ａ〜２３２ｔにＴ個の出力シンボルストリームを提供し得る。各々の変調器２３２は、出力サンプルストリームを得るように（例えば、ＯＦＤＭなどのために）それぞれの出力シンボルストリームを処理し得る。さらに、各々の変調器２３２は、ダウンリンク信号を得るように出力サンプルストリームをさらに処理（例えば、アナログへの変換、増幅、フィルタ処理、およびアップコンバート）し得る。変調器２３２ａ〜２３２ｔからのＴ個のダウンリンク信号が、Ｔ個のアンテナ２３４ａ〜２３４ｔのそれぞれを介して送信され得る。
【００３６】
[0047]ＵＥ１２０において、アンテナ２５２ａ〜２５２ｒが、基地局１１０および／または他の基地局からのダウンリンク信号を受信し得、受信された信号をそれぞれの復調器（ＤＥＭＯＤ）２５４ａ〜２５４ｒに提供し得る。各々の復調器２５４は、入力サンプルを得るようにそれぞれの受信信号を調整（例えば、フィルタ処理、増幅、ダウンコンバート、およびデジタル化）し得る。各々の復調器２５４は、受信シンボルを得るように（例えば、ＯＦＤＭなどのために）入力サンプルをさらに処理し得る。ＭＩＭＯ検出器２５６が、Ｒ個のすべての復調器２５４ａ〜２５４ｒから受信シンボルを取得し、必要であれば受信シンボルについてＭＩＭＯ検出を実行し、検出シンボルを提供し得る。受信プロセッサ２５８が、検出シンボルを処理（例えば、復調および復号）し、ＵＥ１２０のための復号後データをデータシンク２６０に提供するとともに、復号された制御情報およびシステム情報をコントローラ／プロセッサ２８０に提供し得る。チャネルプロセッサが、基準信号受信パワー（ＲＳＲＰ）、受信信号強度インジケータ（ＲＳＳＩ）、基準信号受信品質（ＲＳＲＱ）、ＣＱＩ、などを決定し得る。
【００３７】
[0048]アップリンクに関して、ＵＥ１２０において、送信プロセッサ２６４が、データソース２６２からのデータならびにコントローラ／プロセッサ２８０からの（例えば、ＲＳＲＰ、ＲＳＳＩ、ＲＳＲＱ、ＣＱＩ、などを含む報告のための）制御情報を受け取り、処理し得る。さらに、プロセッサ２６４は、１つまたは複数の基準信号のための基準シンボルを生成し得る。送信プロセッサ２６４からのシンボルは、必要であればＴＸ  ＭＩＭＯプロセッサ２６６によってプリコードされ、（例えば、ＳＣ−ＦＤＭ、ＯＦＤＭ、などのために）変調器２５４ａ〜２５４ｒによってさらに処理され、基地局１１０に送信され得る。基地局１１０において、復号後データおよびＵＥ１２０によって送信された制御情報を得るように、ＵＥ１２０および他のＵＥからのアップリンク信号はアンテナ２３４によって受信され、復調器２３２によって処理され、必要であればＭＩＭＯ検出器２３６によって検出され、受信プロセッサ２３８によってさらに処理され得る。プロセッサ２３８は、復号後データをデータシンク２６０に提供するとともに、復号された制御情報をコントローラ／プロセッサ２４０に提供し得る。基地局１１０は、通信ユニット２４４を含み、通信ユニット２４４を介してネットワークコントローラ１３０と通信し得る。ネットワークコントローラ１３０は、通信ユニット２９４、コントローラ／プロセッサ２９０、およびメモリ２９２を含み得る。
【００３８】
[0049]コントローラ／プロセッサ２４０および２８０が、基地局１１０およびＵＥ１２０のそれぞれにおける動作を管理し得る。プロセッサ２４０および／または基地局１１０における他のプロセッサおよびモジュール、ならびに／あるいはプロセッサ２８０および／またはＵＥ１２０における他のプロセッサおよびモジュールは、本明細書に記載の技術のための処理を実行または管理し得る。メモリ２４２および２８２が、基地局１１０およびＵＥ１２０のそれぞれのためのデータおよびプログラムコードを記憶し得る。スケジューラ２４６が、ダウンリンクおよび／またはアップリンクにおけるデータの伝送についてＵＥをスケジュールし得る。
【００３９】
[0050]ＵＥ１２０にデータを伝送するときに、基地局１１０は、データ割り当てサイズに少なくとも部分的に基づいてバンドリングサイズを決定し、決定されたバンドリングサイズのバンドルされた連続するリソースブロックのデータをプリコードするように構成され得、ここにおいて、各々のバンドルにおけるリソースブロックは、共通のプリコーディング行列によってプリコードされ得る。すなわち、リソースブロック内のＵＥ−ＲＳなどの基準信号（ＲＳ）および／またはデータが、同じプリコーダを使用してプリコードされ得る。バンドルされたＲＢの各々のリソースブロック（ＲＢ）のＵＥ−ＲＳに使用されるパワーレベルも、同じであり得る。
【００４０】
[0051]ＵＥ１２０は、基地局１１０から送信されたデータの復号を行うために、相補的な処理を実行するように構成され得る。例えば、ＵＥ１２０は、連続するＲＢのバンドルにて基地局から送信された受信データのデータ割り当てサイズに基づいてバンドリングサイズを決定し、ここにおいて、各バンドルのリソースブロックの少なくとも１つの基準信号が共通のプリコーディング行列によってプリコードされており、決定されたバンドリングサイズおよび基地局から送信された１つまたは複数のＲＳに基づいて少なくとも１つのプリコードされたチャネルを推定し、推定されたプリコード済みのチャネルを使用して受信されたバンドルの復号を行うように構成され得る。
【００４１】
[0052]図３は、ＬＴＥにおけるＦＤＤのための例示的なフレーム構造３００を示している。ダウンリンクおよびアップリンクの各々における伝送タイムラインは、一連の無線フレームに分割され得る。各々の無線フレームは、所定の継続時間（例えば、１０ミリ秒（ｍｓ））を有し得、０〜９の添え字を有する１０個のサブフレームに分割され得る。各々のサブフレームは、２つのスロットを含み得る。したがって、各々の無線フレームは、０〜１９の添え字を有する２０個のスロットを含み得る。各々のスロットは、例えばノーマルサイクリックプレフィックスにおける７個のシンボル期間（図３に示されるとおり）または拡張サイクリックプレフィックスにおける６つのシンボル期間など、Ｌ個のシンボル期間を含み得る。各々のサブフレームの２Ｌ個のシンボル期間は、０〜２Ｌ−１の添え字を割り当てられ得る。
【００４２】
[0053]ＬＴＥにおいて、ｅＮＢは、ｅＮＢがサポートする各々のセルについて、システム帯域幅の中心である１．０８ＭＨｚで、ダウンリンクにおけるプライマリ同期信号（ＰＳＳ）およびセカンダリ同期信号（ＳＳＳ）を送信し得る。ＰＳＳおよびＳＳＳは、図３に示されるように、ノーマルサイクリックプレフィックスを有する各々の無線フレームのサブフレーム０および５のシンボル期間６および５においてそれぞれ送信され得る。ＰＳＳおよびＳＳＳは、ＵＥによってセルの探索および捕捉に使用され得る。ｅＮＢは、ｅＮＢがサポートする各々のセルについて、システム帯域幅を横切るセル固有基準信号（ＣＲＳ）を送信し得る。ＣＲＳは、各々のサブフレームの特定のシンボル期間において送信され得、ＵＥによってチャネル推定、チャネル品質測定、および／または他の機能を実行するために使用され得る。さらに、ｅＮＢは、特定の無線フレームのスロット１のシンボル期間０〜３において物理ブロードキャストチャネル（ＰＢＣＨ）を送信し得る。ＰＢＣＨは、何らかのシステム情報を運び得る。ｅＮＢは、特定のサブフレーム内の物理ダウンリンク共有チャネル（ＰＤＳＣＨ）においてシステム情報ブロック（ＳＩＢ）などの他のシステム情報を送信し得る。ｅＮＢは、サブフレームの最初のＢ個のシンボル期間の物理ダウンリンク制御チャネル（ＰＤＣＣＨ）において制御情報／データを送信し得、ここでＢは、各々のサブフレームについて設定可能であり得る。ｅＮＢは、各々のサブフレームの残りのシンボル期間のＰＤＳＣＨにおいてトラフィックデータおよび／または他のデータを送信し得る。
【００４３】
[0054]ＬＴＥにおけるＰＳＳ、ＳＳＳ、ＣＲＳ、およびＰＢＣＨは、公表済みの「Evolved Universal Terrestrial Radio Access(E-UTRA); Physical Channels and Modulation」という表題の３ＧＰＰ  ＴＳ  ３６．２１１に説明されている。
【００４４】
[0055]図４は、ノーマルサイクリックプレフィックスを有するダウンリンク用の２つの例示的なサブフレームフォーマット４１０および４２０を示している。ダウンリンクのための利用可能な時間周波数リソースは、リソースブロックに分割され得る。各々のリソースブロックは、１つのスロットにおいて１２個のサブキャリアをカバーし得、いくつかのリソースエレメントを含み得る。各々のリソースエレメントは、１つのシンボル期間において１つのサブキャリアをカバーし得、１つの変調シンボルを送信するために使用され得、これは、実数値または複素値であり得る。
【００４５】
[0056]サブフレームフォーマット４１０は、２つのアンテナを備えるｅＮＢに使用され得る。ＣＲＳは、シンボル期間０、４、７、および１１においてアンテナ０および１から送信され得る。基準信号は、送信機および受信機によって先験的に知られた信号であり、パイロットと称されることもある。ＣＲＳは、例えばセルアイデンティティ（ＩＤ）に基づいて生成されるセルに特有の基準信号である。図４において、ラベルＲａを有する所与のリソースエレメントに関して、変調シンボルが、アンテナａからこのリソースエレメントにおいて送信され得、いかなる変調シンボルも、他のアンテナからこのリソースエレメントにおいて送信されないことがあり得る。サブフレームフォーマット４２０は、４つのアンテナを備えるｅＮＢに使用され得る。ＣＲＳが、シンボル期間０、４、７、および１１においてアンテナ０および１から送信され得、シンボル期間１および８においてアンテナ２および３から送信され得る。両方のサブフレームフォーマット４１０および４２０において、ＣＲＳが、均等な間隔のサブキャリアにおいて送信され得、これは、セルＩＤに基づいて決定され得る。異なるｅＮＢは、それらのＣＲＳを、それらのセルＩＤに応じて同じまたは異なるサブキャリアにおいて送信し得る。両方のサブフレームフォーマット４１０および４２０において、ＣＲＳに使用されないリソースエレメントは、データ（例えば、トラフィックデータ、制御データ、および／または他のデータ）の送信に使用され得る。
【００４６】
[0057]インターレース構造が、ＬＴＥにおけるＦＤＤのためにダウンリンクおよびアップリンクの各々に使用され得る。例えば、０〜Ｑ−１の添え字を有するＱ個のインターレースを定め得、ここでＱは、４、６、８、１０、または何らかの他の値に等しいものであり得る。各々のインターレースは、Ｑ個のフレームによって隔てられたサブフレームを含み得る。とくには、インターレースｑは、サブフレームｑ、ｑ＋Ｑ、ｑ＋２Ｑ、などを含み得、ここでｑ∈｛０，・・・，Ｑ−１｝である。
【００４７】
[0058]ワイヤレスネットワークは、ダウンリンクおよびアップリンクにおけるデータの伝送のためにハイブリッド自動再送要求（ＨＡＲＱ）をサポートし得る。ＨＡＲＱにおいて、送信機（例えば、ｅＮＢ１１０）は、パケットが受信機（例えば、ＵＥ１２０）によって正しく復号されるか、あるいは何らかの他の終了条件に遭遇するまで、パケットの１つまたは複数の伝送を送信し得る。同期ＨＡＲＱにおいては、パケットのすべての伝送が、単一のインターレースのサブフレームにおいて送信され得る。非同期ＨＡＲＱにおいては、パケットの各々の伝送が、任意のサブフレームにおいて送信され得る。
【００４８】
[0059]ＵＥは、複数のｅＮＢのカバレッジの範囲内に位置し得る。これらのｅＮＢのうちの１つが、ＵＥを担当するために選択され得る。担当するｅＮＢは、受信信号の強度、受信信号の品質、経路損失、など、種々の基準に基づいて選択され得る。受信信号の品質は、信号対干渉プラス雑音比（ＳＩＮＲ）、または基準信号受信品質（ＲＳＲＱ）、あるいは何らかの他の指標によって定量化され得る。ＵＥは、ＵＥが１つまたは複数の干渉ｅＮＢからの高干渉を観測し得る支配的干渉の背景において動作し得る。
【００４９】
[0060]例示的なアップリンクチャネルのカバレッジ拡張  
本開示のいくつかの態様は、例えばアップリンク伝送（例えば、ＲＡＣＨまたはＰＵＳＣＨ伝送）のために伝送時間間隔（以下、「ＴＴＩ」）バンドリングおよび／またはバンドリング依存のパワー制御を利用するアップリンクチャネルのカバレッジの拡張のための技術を提供する。これらの技術は、マシン型通信（以下、「ＭＴＣ」）デバイス、ならびに何らかの理由で限られたアップリンクカバレッジしか持たない可能性がある他のタイプのデバイスに、利益をもたらし得る。例えば、アップリンクのカバレッジの拡張は、深いカバレッジホール（例えば、地下）に位置するＭＴＣデバイス、より高い周波数（例えば、高いマイクロ波またはミリメートル波の周波数）の使用、ならびに／あるいは低データレートのユーザまたは遅延を許容し得るユーザに向けたカバレッジの拡大など、多数の場合において望まれ得る。
【００５０】
[0061]従来のＬＴＥの設計の焦点は、スペクトル効率の改善、ユビキタスなカバレッジ、および高められたサービス品質（ＱｏＳ）のサポート、などにある。現在のＬＴＥシステムのダウンリンク（以下、「ＤＬ」）およびアップリンク（以下、「ＵＬ」）のリンクバジェットは、最新型のスマートフォンおよびタブレットなどのハイエンドデバイスのカバレッジのために設計されている。しかしながら、低コスト低データレートのデバイスも、同様にサポートされる必要がある。例えば、ＭＴＣデバイスに関して、最大帯域幅が減らされ得、単一の受信無線周波数（ＲＦ）チェーンが使用され得、ピークレートが低減され得、送信パワーが低減され得、半二重動作が実行され得る。
【００５１】
[0062]ＬＴＥのリリース８において、ＴＴＩ（または、サブフレーム）バンドリングは、ＵＥごとの方法で設定され得る。サブフレームバンドリング動作は、パラメータttiBundlingによって設定され、これは、上位層によってもたらされる。典型的には、ＴＴＩバンドリングは、ＵＥから基地局にマルチプルなＴＴＩを通じてアップリンク共有チャネルにてデータを送信することによって実行されるが、バンドリングは、他のアップリンク信号／トラフィック（例えば、アップリンク制御情報）には適用されない。バンドリングサイズは、４つのＴＴＩ（サブフレーム）に固定され、すなわち、物理アップリンク制御チャネル（ＰＵＳＣＨ）が、４つの連続するサブフレームにて伝送される。バンドルされたサブフレームの各々において、同じハイブリッド自動再送要求（ＨＡＲＱ）プロセス数が使用される。リソース割り当てサイズは、３つのリソースブロック（ＲＢ）までに制限される。変調次数は、２に設定される（四位相偏移変調（ＱＰＳＫ））。各々のバンドルが、単一のリソースとして取り扱われ、例えば単一のグラントおよび単一のＨＡＲＱアクノレッジメントが、各々のバンドルに使用される。
【００５２】
[0063]ＴＴＩバンドリングは、通常、低レートのトラフィックに使用される。例えば、ＶｏＩＰパケットが、低いアップリンクのリンクバジェットゆえに単一のＴＴＩでは送信されることができない場合に、レイヤ２（Ｌ２）セグメンテーションが適用され得る。例えば、ＶｏＩＰパケットは、４つの連続するＴＴＩにて伝送される４つの無線リンク制御（ＲＬＣ）プロトコルデータユニット（ＰＤＵ）にセグメント分けされ得る。２〜３のＨＡＲＱ再送が、充分なカバレッジを達成するために目標とされ得る。
【００５３】
[0064]従来からの手法は、いくつかの欠点を抱えている。各々の追加のセグメントは、１バイトのＲＬＣ、１バイトの媒体アクセス制御（ＭＡＣ）、および３バイトのＬ１巡回冗長検査（ＣＲＣ）のオーバーヘッドを導入する。これは、例えば、３３バイトのＲＬＣサービスデータユニット（ＳＤＵ）サイズを仮定すると、１５％のオーバーヘッドに相当し得る。４つのセグメントの場合には、４５％のさらなるＬ１／Ｌ２オーバーヘッドが存在する。
【００５４】
[0065]従来からの手法のもう１つの欠点は、すべてのセグメントのためのＨＡＲＱ送信／再送が、物理ダウンリンク制御チャネル（ＰＤＣＣＨ）におけるグラントを必要とし、かなりのＰＤＣＣＨリソースを消費し得る点にある。
【００５５】
[0066]さらに、各々のＨＡＲＱ送信または再送の後に、物理ＨＡＲＱインジケータチャネル（ＰＨＩＣＨ）におけるＨＡＲＱフィードバックが続く。１０−３という否定応答−肯定応答（ＮＡＣＫ−ＡＣＫ）エラー比を仮定すると、多数のＨＡＲＱフィードバック信号は、高いパケット損失確率をまねく。例えば、１２個のＨＡＲＱフィードバック信号が送信される場合、ＨＡＲＱフィードバックエラー比は、１．２×１０−２程度になり得る。１０−２を超えるパケット損失割合は、ＶｏＩＰトラフィックにおいて容認できない。
【００５６】
[0067]ＴＴＩバンドルごとに１つのアップリンクグラントおよび１つのＰＨＩＣＨシグナルだけを使用することで、Ｌ２のセグメンテーションが必要とされないため、Ｌ１およびＬ２オーバーヘッドが最小限に抑えられる。
【００５７】
[0068]ＵＬにおいて、ＴＴＩバンドリングは、ランダムアクセスチャネル（ＲＡＣＨ）、物理アップリンク制御チャネル（ＰＵＣＣＨ）、およびＰＵＳＣＨについて提案されている。
【００５８】
[0069]ＲＡＣＨの伝送に関して、ＵＥは、通常、ＲＡＣＨプリアンブルを送信するための送信パワー（ＰＰＲＡＣＨ）を次のように決定し、
PPRACH = min {Pcmax,c(i), PREAMBLE_RECEIVED_TARGET_POWER + PLc}  [dBm]
ここで、Pcmax,c(i)は、サービングセルｃのサブフレームｉについて定められたＵＥ送信パワーであり、ＰＬは、サービングセルについてＵＥにおいて計算されたダウンリンク経路損失の推定である。ＲＡＣＨカバレッジを拡張させるために、ＲＡＣＨの反復および／またはバンドリングが使用され得る。さらに、いくつかの場合に、ＲＡＣＨチャネルは、ＵＥが必要とするカバレッジ拡張の程度をｅＮＢにシグナリングするために使用され得る。異なるユーザは、ＵＬおよびＤＬの両方について異なるカバレッジ拡張を必要とし得る。これは、競合ベース対非競合ベースのＲＡＣＨをどのように取り扱うか、ＲＡＣＨプロシージャの最中にパワーランピングを実行するか否か／どのように実行するか、ならびに／あるいは必要とされるカバレッジ拡張をどのようにシグナリングするかなど、種々の問題を呈し得る。
【００５９】
[0070]特定の態様によれば、バンドリングを伴う修正されたＲＡＣＨプロシージャが提供される。いくつかの場合、ＲＡＣＨの初期のパワー選択およびバンドリング選択は、次式のように決定され、
PPRACH = min {Pcmax,c(i), PREAMBLE_RECEIVED_TARGET_POWER + PLc}  [dBm]
次いでＵＥは、パラメータ
delta_power = PREAMBLE_RECEIVED_TARGET_POWER + PLc - Pcmax,c(i)
を計算し得る。delta_power＞０であり、ＲＡＣＨバンドリングがサポートされる場合、ＵＥは、delta_powerに従ってバンドリングサイズを選択し得る。いくつかの場合、ＵＥは、目標送信パワーと最大送信パワーとの間の差に基づいてバンドリングサイズを選択し得る。
【００６０】
[0071]いくつかの場合、ＵＥは、初期のＲＡＣＨ伝送が失敗した場合に後続のＲＡＣＨ伝送のパワーおよび／またはバンドリングを調節し得る。例えば、パワーランピングおよび／またはバンドリングサイズが、初期のＲＡＣＨが失敗したときに後続のＲＡＣＨ伝送について増大され得る。現在の規格によれば、ＵＥは、先行のＲＡＣＨが失敗した場合、後続の試行においてＲＡＣＨパワーを増加（ramp up）させる。
【００６１】
[0072]本明細書に提示される特定の態様によれば、バンドリングがサポートされるとき、ＵＥは、最初にパワーを増加させ得、所定の送信パワーレベル（例えば、最大パワー）に到達した場合に、ＵＥは、意図されるパワーと最大パワーとの差に再び基づいて次のＲＡＣＨのためのバンドリングサイズを選択し得る。
【００６２】
[0073]いくつかの場合、ＵＥは、また、最大パワーに達する前にバンドリングを適用し得、あるいはバンドリングが使用されるときにより小さいパワーで送信し得る。例えば、デフォルトのバンドリングサイズが１６であり、ユーザが８という有効バンドリングサイズを有することだけを望む場合、送信パワーを減らすことができる。いくつかの場合、パワーレベルは最大値において開始され得、次いで（例えば、バンドリングサイズの増加につれて）減らされ得る。例えば、パワーが最大値であるときには、３２というバンドリングサイズが使用され得、パワーが最大値の半分であるときには、６４というバンドリングサイズが使用され得る。
【００６３】
[0074]いくつかの場合、ＵＥは、ＲＡＣＨバンドリングを適用し得、バンドリングサイズは、ＲＡＣＨパワーが所定のレベル（例えば、最大値）に達するときはいつも、後続のＲＡＣＨ試行において増大する。第１の例として、最大パワーでバンドリングなしで実行される第１のＲＡＣＨ試行が失敗した場合、第２のＲＡＣＨ試行が、最大パワーおよび２ｘのバンドリングで実行され得る。第２のＲＡＣＨ試行が失敗した場合、第３のＲＡＣＨ試行が、４ｘのバンドリングで（以下同様に、例えば最大バンドリングレベルに達するまで）実行され得る。別の例として、第１のＲＡＣＨ試行が４というバンドリングサイズで、第２のＲＡＣＨ試行が１６というバンドリングサイズで、実行され得る（以下同様）。
【００６４】
[0075]いくつかの場合、バンドルされたＲＡＣＨ処理ゆえに、バンドルされた受信によるプリアンブル受信目標パワーが、バンドルなしのＲＡＣＨの目標パワーと異なる可能性がある。したがって、特定の態様によれば、異なるPREAMBLE_RECEIVED_TARGET_POWERが、バンドルされたＲＡＣＨを有するＵＥなど、ＵＥの異なるグループについて使用され得る。この新たなパラメータは、PREAMBLE_RECEIVED_TARGET_POWER_BUNDLEと称され得、ＳＩＢにおいてブロードキャストされ得る。このパラメータは、バンドルされた場合に限定されない。例えば、ＶＯＩＰ、地下のＵＥ、などに使用され得る。これは、セル固有のパラメータであり得る。いくつかの場合、異なる目標パワーレベルを有するユーザの異なるセットをサポートするために、追加のセットが使用され得る。異なるPREAMBLE_RECEIVED_TARGET_POWERを使用し得るユーザの１つの具体例は、バンドリングを有するユーザであろう。ｅＮＢが、バンドルされたＲＡＣＨを横切ってコヒーレントおよび／または非コヒーレントな結合を適用するので、目標ＳＮＲおよび目標ＲＡＣＨパワーは、バンドリングなしの通常のＲＡＣＨとは異なる可能性がある。
【００６５】
[0076]同様の方法で、バンドルされたＰＵＳＣＨ伝送のための目標パワーを設定するために、バンドルが使用されるときはいつも、別個のＰＯ＿ＰＵＳＣＨ＿ｂｕｎｄｌｅ値が、また、ＰＯ＿ＰＵＳＣＨを置き換えるために以下の式に導入され得る。  
【数１】
2019118129.tif 000003
【００６６】
[0077]より具体的には、新たなＰＯ＿ｎｏｍｉｎａｌ＿ＰＵＳＣＨおよび／またはdelta_preamble_msg3が、ユーザ（例えば、ＭＴＣユーザまたはバンドリングをサポートするユーザ）の新たなグループについて導入され得る。同様に、ＰＵＣＣＨについて別のＰＯ＿ＰＵＣＣＨ＿ｂｕｎｄｌｅを導入することもできる。より具体的には、新たなＰＯ＿ｎｏｍｉｎａｌ＿ＰＵＣＣＨが、ユーザの新たなグループについて導入され得る。
【００６７】
[0078]特定の態様によれば、競合および非競合ベースのＲＡＣＨのための異なるＲＡＣＨバンドリングサイズがサポートされ得る。例えば、競合ベースのＲＡＣＨについて、比較的控え目（conservative）なＲＡＣＨバンドリングサイズ（または、ＤＬ経路損失測定によって決定されるバンドリングサイズ）が使用され得る。非競合ベースのＲＡＣＨについては、ｅＮＢが示したＲＡＣＨバンドリングサイズが使用され得る。
【００６８】
[0079]特定の態様によれば、非競合ベースのＲＡＣＨのバンドリングサイズを、ＳＩＢにおいてブロードキャストでき、ＲＲＣにてＵＥにシグナリングすることができ、あるいは動的にシグナリングすることができる。例えば、指示された（ｅＮＢによって指令された）ＲＡＣＨについて、ＲＡＣＨバンドリングサイズが、ＰＤＣＣＨにおいてシグナリングされ得る（例えば、指示されたＲＡＣＨについてＲＡＣＨバンドリングサイズ４をシグナリングする）。
【００６９】
[0080]特定の態様によれば、例えばフォーマット１（ＲＡＣＨ１）のＲＡＣＨの反復について、ＵＥは、サイクリックプレフィックス（ＣＰ）およびＲＡＣＨのシーケンス（例えば、ＣＰ＋ＲＡＣＨ１＋ＣＰ＋ＲＡＣＨ１＋ＣＰ＋ＲＡＣＨ１）を有するフォーマット１の正確な反復を送信し得る。これは、ストレートフォワードな反復であり得、これは、相当に単純な実行をもたらし得る。特定の態様によれば、ＵＥは、１つのＣＰ部分だけを送信し、ＲＡＣＨシーケンスを反復し得（例えば、ＣＰ＋ＲＡＣＨ１＋ＲＡＣＨ１＋ＲＡＣＨ１）、これはオーバーヘッドを低減し得、より効率的であり得る。
【００７０】
[0081]図５が、本開示の特定の態様によるワイヤレス通信のための例示的な動作５００を示している。
【００７１】
[0082]動作５００は、例えばＵＥ（例えば、ＵＥ１２０）によって実行され得る。動作５００は、５０２において、目標プリアンブル受信パワーレベルおよび最大プリアンブル送信パワーレベルに基づくパワーの差の値を決定することから始まり得る。５０４において、ＵＥは、決定された差に基づいてアップリンク伝送のためのバンドリングサイズを選択し得、５０６において、選択されたバンドリングサイズに従ってアップリンク伝送を送信し得る。
【００７２】
[0083]図６は、例えばＵＥ６０２とｅＮＢ６０４との間で（例えば、図５の動作５００に従って）交換され得るメッセージを示す例示的なメッセージフロー６００を示している。ＵＥ６０２が、６０６において、目標プリアンブル受信パワーおよび最大プリアンブル送信パワーレベルを決定し得る。目標プリアンブル受信パワーについての情報は、例えばｅＮＢから送信されるシステム情報メッセージを介して受信される情報に基づいて決定され得る。６０８において、ＵＥ６０２は、目標プリアンブル受信パワーと最大プリアンブル送信パワーレベルとの間の差に基づいてアップリンク伝送のためのバンドリングサイズを決定し得る。ＵＥ６０２は、決定されたバンドリングサイズに基づいて１つまたは複数のメッセージをｅＮＢ６０４に送信し得る。例えば、これらのメッセージは、ＲＡＣＨプリアンブル６１０（ｅＮＢ６０４からのＲＡＣＨ応答６１２の伝送を求める）の送信およびｅＮＢ６０４への（例えば、アップリンクデータの）アップリンク伝送６１２の実行を含み得る。
【００７３】
[0084]図７は、本開示の特定の態様によるＵＥによるワイヤレス通信のための例示的な動作７００を示している。
【００７４】
[0085]動作７００は、７０２において、第１のアップリンク伝送を或るパワーレベルおよび或るバンドリングサイズで送信することから始まり得る。７０４において、ＵＥは、第１のアップリンク伝送が失敗した場合に、１つまたは複数の後続のアップリンク伝送のためにバンドリングサイズを調節し得る。
【００７５】
[0086]図８は、例えばＵＥ８０２とｅＮＢ８０４との間で（例えば、図７の動作７００に従って）交換され得るメッセージを示す例示的なメッセージフロー８００を示している。図示のとおり、ＵＥ８０２は、ｅＮＢ８０４へのアップリンク伝送を実行する。アップリンク伝送８０６は、或るパワーレベルおよび或るバンドリングサイズを使用して実行され得る。図示のとおり、アップリンク伝送８０６が、ｅＮＢ８０４によって受信に成功された。アップリンク伝送８０６のパワーレベルおよびバンドリングサイズを使用して実行されたアップリンク伝送８０８の失敗が、ＵＥ８０２に対して、８１０においてバンドリングサイズを調節するように促し得る。バンドリングサイズの調節後に、ＵＥ８０２は、前記パワーレベルおよび調節後のバンドリングサイズを使用して別のアップリンク伝送８１２を実行し得る。
【００７６】
[0087]図９は、本開示の特定の態様によるＵＥによるワイヤレス通信のための例示的な動作９００を示している。
【００７７】
[0088]動作９００は、９０２において、バンドリングなしのアップリンク伝送のための第１の値およびバンドリングを用いるアップリンク伝送のための第２の値を有する送信パワーレベルパラメータに少なくとも部分的に基づいて、アップリンク伝送のための送信パワーレベルを決定することから始まり得る。９０４において、ＵＥは、決定された送信パワーレベルに従ってアップリンク伝送を送信し得る。
【００７８】
[0089]図１０は、例えばＵＥ１００２とｅＮＢ１００４とによって（例えば、図９の動作９００に従って）交換され得るメッセージを示す例示的なメッセージフロー１０００を示している。ＵＥ１００２は、ｅＮＢ１００４から情報１００６を受信し得る。情報１００６は、例えば、バンドリングあり、およびバンドリングなしでアップリンク伝送を実行するためのパワーレベルパラメータを含み得る。１００８において、ＵＥは、パワーレベルパラメータに少なくとも部分的に基づいてアップリンク伝送に使用すべきパワーレベルを決定し得、決定されたパワーレベルを使用してアップリンク伝送１０１０を実行し得る。
【００７９】
[0090]図１１が、本開示の特定の態様によるＵＥによるワイヤレス通信のための例示的な動作１１００を示している。
【００８０】
[0091]動作１１００は、１１０２において、ランダムアクセスチャネル（ＲＡＣＨ）プロシージャに使用すべきバンドリングサイズを決定することによって始まり得、ここにおいて、異なるバンドリングサイズが、競合ベースおよび非競合ベースのＲＡＣＨプロシージャについて使用される。１１０４において、ＵＥは、決定されたバンドリングサイズに従ってＲＡＣＨプロシージャを実行し得る。
【００８１】
[0092]図１２は、例えばＵＥ１２０２とｅＮＢ１２０４との間で（例えば、図１１の動作１１００に従って）交換され得るメッセージを示す例示的なメッセージフロー１２００を示している。競合ベースおよび非競合ベースのＲＡＣＨプロシージャについて異なるバンドリングサイズが使用され得るので、ＵＥ１２０２は、１２０６において、ＲＡＣＨプロシージャが競合ベースまたは非競合ベースのどちらプロシージャであるかに基づいて、使用すべきバンドリングサイズを決定し得る。決定されたバンドリングサイズを使用して、ＵＥは、ｅＮＢ１２０４とＲＡＣＨプロシージャ１２０８を実行し得る。
【００８２】
[0093]上述の方法の種々の動作は、対応する機能を実行することができる任意の適切な手段によって実行され得る。手段として、これらに限られるわけではないが回路、特定用途向け集積回路（ＡＳＩＣ）、またはプロセッサを含む、種々のハードウェアおよび／またはソフトウェア／ファームウェアコンポーネントおよび／またはモジュールが挙げられ得る。一般に、図面に示される動作が存在する場合、それらの動作は、任意の適切な対応する同等のミーンズプラスファンクション（means-plus-function）コンポーネントによって実行され得る。
【００８３】
[0094]上記開示のプロセスにおける各ステップの特定の順序または階層は、例示的な手法の例であると理解される。設計の優先事項に基づき、プロセスにおける各ステップの特定の順序または階層は、本開示の技術的範囲から外れることなく、並べ替えられ得ると理解される。添付の方法に関する請求項は、種々のステップの構成要素を見本の順序にて提示しており、提示された具体的な順序または階層への限定を意味するものではない。
【００８４】
[0095]当業者であれば、情報および信号が、種々の異なる技術および技法の任意のいずれかを使用して表現され得ることを、理解するであろう。例えば、または複数の説明の各所において言及され得るデータ、インストラクション、コマンド、情報、信号、ビット、シンボル、およびチップは、電圧、電流、電磁波、磁界または磁性粒子、光場または光粒子、あるいはこれらの組み合わせによって表され得る。
【００８５】
[0096]さらに、本明細書における開示に関連して説明される種々の例示の論理ブロック、モジュール、回路、およびアルゴリズムの各段階が、電子ハードウェア、ソフトウェア／ファームウェア、またはこれらの組み合わせとして実現され得ることを、当業者であれば理解するであろう。このハードウェアおよびソフトウェア／ファームウェアの入れ替え可能性を明確に示すために、種々の例示のコンポーネント、ブロック、モジュール、回路、および段階は、広くそれらの機能に関して上述されている。このような機能がハードウェアとして実現されるか、あるいはソフトウェア／ファームウェアとして実現されるかは、個々の用途およびシステム全体に課される設計上の制約事項に依存する。当業者であれば、上述の機能を各々の個別の用途について種々の方法で実現し得るが、このような実現における決定を、本開示の技術的範囲からの離脱を生じるものと解釈すべきではない。
【００８６】
[0097]本明細書における開示に関連して説明される種々の例示の論理ブロック、モジュール、および回路は、汎用のプロセッサ、デジタル信号プロセッサ（ＤＳＰ）、特定用途向け集積回路（ＡＳＩＣ）、フィールドプログラマブルゲートアレイ（ＦＰＧＡ）または他のプログラマブルな論理素子（ＰＬＤ）、ディスクリートなゲートまたはトランジスタ論理回路、ディスクリートなハードウェアコンポーネント、あるいは本明細書に記載の機能を実行するように設計されたこれらの任意の組み合わせによって実施または実行され得る。汎用のプロセッサは、マイクロプロセッサであり得るが、代案においては、プロセッサは、任意の在来のプロセッサ、コントローラ、マイクロコントローラ、またはステートマシンであり得る。プロセッサは、例えばＤＳＰとマイクロプロセッサとの組み合わせ、複数のマイクロプロセッサ、ＤＳＰコアと併せた１つまたは複数のマイクロプロセッサ、または任意の他のこのような構成など、コンピュータデバイスの組み合わせとしても実現され得る。
【００８７】
[0098]本明細書における開示に関連して説明される方法またはアルゴリズムの各ステップは、ハードウェア、プロセッサによって実行されるソフトウェア／ファームウェアモジュール、またはこれらの組み合わせにて直接的に具現化され得る。ソフトウェア／ファームウェアモジュールは、ＲＡＭメモリ、フラッシュメモリ、ＰＣＭ（相変化メモリ）、ＲＯＭメモリ、ＥＥＰＲＯＭ（登録商標）メモリ、レジスタ、ハードディスク、リムーバブルディスク、ＣＤ−ＲＯＭ、または技術的に公知の任意の他の形態の記憶媒体に存在し得る。例示的な記憶媒体は、プロセッサが記憶媒体からの情報の読み出しおよび記憶媒体への情報の書き込みを行うことができるように、プロセッサに接続さる。代案においては、記憶媒体がプロセッサに一体化され得る。プロセッサおよび記憶媒体は、ＡＳＩＣに存在し得る。ＡＳＩＣは、ユーザ端末に存在し得る。代案においては、プロセッサおよび記憶媒体が、ユーザ端末にディスクリートなコンポーネントとして存在し得る。
【００８８】
[0099]１つまたは複数の例示的な設計において、説明される機能は、ハードウェア、ソフトウェア／ファームウェア、またはこれらの組み合わせにて実現され得る。ソフトウェア／ファームウェアでの実行の場合、これらの機能は、コンピュータ読取可能な媒体において、１つまたは複数のインストラクションまたはコードとして保存または伝送され得る。コンピュータ読取可能媒体は、或る場所から他の場所へのコンピュータプログラムの移動を促進する任意の媒体を含むコンピュータ記憶媒体および通信媒体の両方を含む。ストレージ媒体は、汎用または専用のコンピュータによってアクセスすることができる任意の利用可能な媒体であり得る。例として、これらに限られるわけではないが、このようなコンピュータ読み取り可能な媒体は、ＲＡＭ、ＲＯＭ、ＥＥＰＲＯＭ、ＣＤ−ＲＯＭまたは他の光ディスク記憶デバイス、磁気ディスク記憶デバイスまたは他の磁気記憶デバイス、あるいは所望のプログラムコードをインストラクションまたはデータ構造の形態で保持または記憶するために使用することができ、汎用または専用のコンピュータ、あるいは汎用または専用のプロセッサによるアクセスが可能である任意の他の媒体を備えることができる。また、任意の接続も、コンピュータ読み取り可能な媒体と呼ばれ得る。例えば、ソフトウェア／ファームウェアがウェブサイト、サーバ、または他の遠方のソースから同軸ケーブル、光ファイバケーブル、対より線、デジタル加入者線（ＤＳＬ）、あるいは赤外線、無線、およびマイクロ波などのワイヤレス技術を使用して伝送される場合、同軸ケーブル、光ファイバケーブル、対より線、ＤＳＬ、あるいは赤外線、無線、およびマイクロ波などのワイヤレス技術は、媒体の定義に含まれる。本明細書において使用されるとき、ディスク（ｄｉｓｋおよびｄｉｓｃ）は、コンパクトディスク（ＣＤ）、レーザディスク（登録商標）、光ディスク、デジタル多用途ディスク（ＤＶＤ）、フロッピー（登録商標）ディスク、およびＢｌｕ−ｒａｙ（登録商標）ディスクを含み、ここでディスク（ｄｉｓｋ）が、通常はデータを磁気的に再生する一方で、ディスク（ｄｉｓｃ）は、データをレーザで光学的に再生する。したがって、いくつかの態様において、コンピュータ読取可能媒体は、一時的でないコンピュータ読取可能媒体（例えば、有形の媒体）を備え得る。さらに、他の態様に関して、コンピュータ読取可能媒体は、一時的なコンピュータ読取可能媒体（例えば、信号）を備え得る。上記の組み合わせもまた、コンピュータ読取可能媒体の範囲内に含まれるべきである。
【００８９】
[0100]本明細書において使用されるとき、アイテムのリスト「のうちの少なくとも１つ」に言及する表現は、これらのアイテムの任意の組み合わせを指し、単独の場合も含む。例として、「ａ、ｂ、またはｃのうちの少なくとも１つ」は、ａ、ｂ、ｃ、ａとｂ、ａとｃ、ｂとｃ、およびａとｂとｃを包含するように意図される。
【００９０】
[0101]本開示のこれまでの説明は、本開示の製作または使用を当業者にとって可能にするために提示されている。本開示の種々の変更が、当業者にとって容易に明らかであり、本明細書に定められる全体的な原理は、本開示の技術的思想または技術的範囲から離れることなく他の変形にも適用され得る。したがって、本開示は、本明細書に記載の例および設計に限られるものではなく、本明細書に開示の原理および新規な特徴に矛盾しない最も広い範囲が与えられるべきである。
【図１】
2019118129.tif 000004
【図２】
2019118129.tif 000005
【図３】
2019118129.tif 000006
【図４】
2019118129.tif 000007
【図５】
2019118129.tif 000008
【図６】
2019118129.tif 000009
【図７】
2019118129.tif 000010
【図８】
2019118129.tif 000011
【図９】
2019118129.tif 000012
【図１０】
2019118129.tif 000013
【図１１】
2019118129.tif 000014
【図１２】
2019118129.tif 000015
【手続補正書】
【提出日】平成31年3月29日(2019.3.29)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
バンドリングなしのアップリンク伝送のための第１の値およびバンドリングを用いるアップリンク伝送のための第２の値を有する送信パワーレベルパラメータに少なくとも部分的に基づいて、アップリンク伝送のための送信パワーレベルを決定することと、
前記決定された送信パワーレベルに従って、前記アップリンク伝送を送信することと、
を備える方法。
【請求項２】
前記アップリンク伝送は、物理アップリンク共有チャネル（ＰＵＳＣＨ）伝送を備える、請求項１に記載の方法。
【請求項３】
ブロードキャストシステム情報ブロック（ＳＩＢ）において前記第１および第２の値のうちの少なくとも１つを受信することをさらに備える、請求項１に記載の方法。
【請求項４】
ユーザ機器（ＵＥ）によるワイヤレス通信のための装置であって、
少なくとも１つのプロセッサと、
前記少なくとも1つのプロセッサに接続されるメモリと、
前記メモリに記憶される命令と
を備え、前記命令は、
バンドリングなしのアップリンク伝送のための第１の値およびバンドリングを用いるアップリンク伝送のための第２の値を有する送信パワーレベルパラメータに少なくとも部分的に基づいて、アップリンク伝送のための送信パワーレベルを決定することと、
前記決定された送信パワーレベルに従って、前記アップリンク伝送を送信することと、
を行うように前記プロセッサによって実行可能である、装置。
【請求項５】
前記アップリンク伝送は、物理アップリンク共有チャネル（ＰＵＳＣＨ）伝送を備える、請求項４に記載の装置。
【請求項６】
前記命令が、ブロードキャストシステム情報ブロック（ＳＩＢ）において前記第１および第２の値のうちの少なくとも１つを受信することを行うように前記プロセッサによって実行可能であることをさらに備える、請求項４に記載の装置。
【請求項７】
ユーザ機器（ＵＥ）によるワイヤレス通信のための装置であって、
バンドリングなしのアップリンク伝送のための第１の値およびバンドリングを用いるアップリンク伝送のための第２の値を有する送信パワーレベルパラメータに少なくとも部分的に基づいて、アップリンク伝送のための送信パワーレベルを決定するための手段と、
前記決定された送信パワーレベルに従って、前記アップリンク伝送を送信するための手段と、
を備える装置。
【請求項８】
前記アップリンク伝送は、物理アップリンク共有チャネル（ＰＵＳＣＨ）伝送を備える、請求項７に記載の装置。
【請求項９】
ブロードキャストシステム情報ブロック（ＳＩＢ）において前記第１および第２の値のうちの少なくとも１つを受信するための手段をさらに備える、請求項７に記載の装置。
【請求項１０】
請求項１−３の何れか一項に記載の方法をコンピュータに実行させるプログラム。
【手続補正２】
【補正対象書類名】明細書
【補正対象項目名】００９０
【補正方法】変更
【補正の内容】
【００９０】
[0101]本開示のこれまでの説明は、本開示の製作または使用を当業者にとって可能にするために提示されている。本開示の種々の変更が、当業者にとって容易に明らかであり、本明細書に定められる全体的な原理は、本開示の技術的思想または技術的範囲から離れることなく他の変形にも適用され得る。したがって、本開示は、本明細書に記載の例および設計に限られるものではなく、本明細書に開示の原理および新規な特徴に矛盾しない最も広い範囲が与えられるべきである。
以下に本願の出願当初の特許請求の範囲に記載された発明を付記する。
[Ｃ１]  ユーザ機器（ＵＥ）によるワイヤレス通信のための方法であって、
目標プリアンブル受信パワーレベルおよび最大プリアンブル送信パワーレベルに基づいて、パワーの差の値を決定することと、
前記決定されたパワーの差の値に基づいて、アップリンク伝送のためのバンドリングサイズを選択することと、
前記選択されたバンドリングサイズに従って前記アップリンク伝送を送信することと、
を備える方法。
[Ｃ２]  前記パワーの差の値は、また、ダウンリンク経路損失の推定に基づく、Ｃ１に記載の方法。
[Ｃ３]  前記アップリンク伝送は、ＲＡＣＨプリアンブル伝送を備える、Ｃ１に記載の方法。
[Ｃ４]  前記ＲＡＣＨプリアンブル伝送は、ＲＡＣＨ反復シーケンスを備える、Ｃ３に記載の方法。
[Ｃ５]  アップリンク伝送のためのバンドリングサイズが、前記パワーの差の値がゼロよりも大きい場合にのみ、前記決定されたパワーの差の値に基づいて選択される、Ｃ３に記載の方法。
[Ｃ６]  ユーザ機器（ＵＥ）によるワイヤレス通信のための方法であって、
第１のアップリンク伝送を或るパワーレベルおよび或るバンドリングサイズで送信することと、
前記第１のアップリンク伝送が失敗した場合に、１つまたは複数の後続のアップリンク伝送のための前記バンドリングサイズを調節することと、
を備える方法。
[Ｃ７]  前記第１のアップリンク伝送は、ＲＡＣＨプリアンブル伝送を備える、Ｃ６に記載の方法。
[Ｃ８]  前記ＲＡＣＨプリアンブル伝送は、ＲＡＣＨ反復シーケンスを備える、Ｃ７に記載の方法。
[Ｃ９]  １つまたは複数の後続のアップリンク伝送のための前記バンドリングサイズを調節することが、
目標プリアンブル受信パワーレベルおよび最大プリアンブル送信パワーレベルに基づいて、パワーの差の値を決定することと、
前記決定されたパワーの差の値に基づいて、アップリンク伝送のためのバンドリングサイズを選択することと、
を備える、Ｃ６に記載の方法。
[Ｃ１０]  １つまたは複数の後続のアップリンク伝送のための前記バンドリングサイズを調節することが、
先行するアップリンク伝送のための送信パワーが所定のレベルに達した後で、１つまたは複数の後続のアップリンク伝送のための前記バンドリングサイズを調節すること、  を備える、Ｃ６に記載の方法。
[Ｃ１１]  前記所定のレベルは、最大アップリンク送信パワーレベルに相当する、Ｃ１０に記載の方法。
[Ｃ１２]  前記バンドリングサイズを増大した後に、後続のアップリンク伝送のための送信パワーを低減すること、
をさらに備える、Ｃ１０に記載の方法。
[Ｃ１３]  ユーザ機器（ＵＥ）によるワイヤレス通信のための方法であって、
バンドリングなしのアップリンク伝送のための第１の値およびバンドリングを用いるアップリンク伝送のための第２の値を有する送信パワーレベルパラメータに少なくとも部分的に基づいて、アップリンク伝送のための送信パワーレベルを決定することと、
前記決定された送信パワーレベルに従って、前記アップリンク伝送を送信することと、
を備える方法。
[Ｃ１４]  前記アップリンク伝送は、ＲＡＣＨプリアンブル伝送を備える、Ｃ１３に記載の方法。
[Ｃ１５]  前記ＲＡＣＨプリアンブル伝送は、ＲＡＣＨ反復シーケンスを備える、Ｃ１４に記載の方法。
[Ｃ１６]  前記アップリンク伝送は、物理アップリンク共有チャネル（ＰＵＳＣＨ）伝送を備える、Ｃ１３に記載の方法。
[Ｃ１７]  ブロードキャストシステム情報ブロック（ＳＩＢ）において前記第１および第２の値のうちの少なくとも１つを受信することをさらに備える、Ｃ１３に記載の方法。
[Ｃ１８]  ユーザ機器（ＵＥ）によるワイヤレス通信のための方法であって、
ランダムアクセスチャネル（ＲＡＣＨ）プロシージャに使用すべきバンドリングサイズを決定することと、ここにおいて、異なるバンドリングサイズが、競合ベースおよび非競合ベースのＲＡＣＨプロシージャについて使用される、
前記決定されたバンドリングサイズに従って、前記ＲＡＣＨプロシージャを実行することと、
を備える方法。
[Ｃ１９]  競合ベースのＲＡＣＨプロシージャのためのバンドリングサイズが、ダウンリンク経路損失の推定に少なくとも部分的に基づいて決定される、Ｃ１８に記載の方法。
[Ｃ２０]  非競合ベースのＲＡＣＨプロシージャのためのバンドリングサイズが、基地局によって示される、Ｃ１８に記載の方法。
[Ｃ２１]  前記ＲＡＣＨプロシージャは、基地局によって指示され、
前記基地局は、物理ダウンリンク制御チャネル（ＰＤＣＣＨ）において前記ＲＡＣＨプロシージャのために使用すべきバンドリングサイズを示す、
Ｃ１８に記載の方法。
【外国語明細書】
2019118129000001.pdf